(57)【要約】【課題】  印字および記録・読出の制御が容易な記録装置・読出装置およびラベルプリンタを提供する。【解決手段】  アンテナを介して非接触状態でリード／ライト可能なＩＣを有するＩＣタグ２０からの読出しを行う読出装置、ＩＣタグ２０に書込みを行う記録／読出装置に関する。本装置１０は、前記ＩＣに書込みを行う書込手段２８を備えており、前記ＩＣタグ付ラベル１４を挟むように、前記書込／読出手段２８のアンテナ４０と、磁性体３５とを配置したことを特徴とする。【選択図】        図２
2006079514.tif 000002
【特許請求の範囲】
【請求項１】
アンテナを介して非接触状態でリード／ライト可能なＩＣを有し、搬送されるＩＣタグ付ラベルの書込みおよび／または読出し行う記録／読出装置において、
前記ＩＣに書込みおよび／または読出しを行う書込手段および／または読出手段を備え、
前記ＩＣタグ付ラベルを挟むように、前記書込手段および／または読出手段のアンテナと、磁性体とを配置した記録／読出装置。
【請求項２】
アンテナを介して非接触状態でリード／ライト可能なＩＣを有し、搬送されるＩＣタグ付ラベルの書込みおよび／または読出しと印字とを行うラベルプリンタにおいて、
前記ＩＣタグ付ラベルの表面に可視情報を印字する印字ヘッドと、
前記ＩＣの書込みおよび／または読出しを行う書込手段および／または読出手段とを備え、
前記ＩＣタグ付ラベルを挟むように、前記書込手段および／または読出手段のアンテナと、磁性体とを配置したラベルプリンタ。
【請求項３】
請求項２において、前記書込手段および／または読出手段のアンテナと前記印字ヘッドとは、前記ＩＣタグ付ラベルの搬送路を挟むように配置され、前記印字ヘッドの筐体における前記ＩＣタグ付ラベルに対面する部位が前記磁性体に覆われていることを特徴とするラベルプリンタ。
【請求項４】
請求項２もしくは３において、前記磁性体は、磁性シートからなり、該磁性シートが前記印字ヘッドに貼付されているラベルプリンタ。
【発明の詳細な説明】
【技術分野】
【０００１】
本発明は送受信機( リーダ・ライタ) と非接触方式でデータの送受信を行う非接触リードライト式ＩＣ( ＩＣタグ：ＲＦＩＤ) を有するＩＣタグ付ラベルを搬送しながら、前記ＩＣに電気的に書き込みを行う記録装置、前記ＩＣの情報を読出す読出装置、ならびに、該記録装置および／または読出装置を備えたラベルプリンタに関する。
【背景技術】
【０００２】
近年、前記ＩＣチップに非接触で電気的なリード／ライトを行う非接触リードライト式ＩＣを有するＩＣタグ付ラベルが開発されている。このＩＣタグ付ラベルは、ＩＣチップに多量の情報を記録でき、電磁結合や電磁誘導にて非接触で情報を送受信できる上、偽造が困難なためセキュリティにも優れている。
【０００３】
一方、ＩＣチップに記録（記憶）された内容は人間の視覚やバーコードリーダーでは読みとれないため、ＩＣタグをラベルとを一体化したＩＣタグ付ラベルとし、ラベルの表面に印字した文字やバーコードを人間の視覚、ＯＣＲやバーコードリーダなどで読み取り可能とする利用形態が拡大しつつある（特許文献１〜３）。
【特許文献１】特開２００３−１３２３３０（第２頁，図２）
【特許文献２】特開２００３−１１９３９（図６）
【特許文献３】特開２００３−１５９８３８（第１頁，図１）
【０００４】
前記各特許文献に開示されたＩＣタグ付ラベルに印字を行うラベルプリンタは、文字等を印字する印字手段と、該印字手段の他にＩＣタグと通信する非接触書込・読取手段( リーダ・ライタ) を備えている。該リーダ・ライタは通信用アンテナを有しており、この通信用アンテナを用いてＩＣタグのアンテナ回路を介して通信し、ＩＣチップに情報を書き込んだり、ＩＣチップに記録された情報を読み取っている。
【発明の開示】
【発明が解決しようとする課題】
【０００５】
前記印字手段の印字ヘッドは、金属部品等を多く含む基板を有している上、板金製の筐体により覆われている。そのため、電磁結合や電磁誘導により情報の送受信を行う際に、前記印字ヘッドとリーダ・ライタが近接して配置されていると、前記金属部分において損失する電流損が生じたり電磁波の反射や吸収が生じる。
【０００６】
したがって、従来は印字ヘッドとリーダ・ライタとをラベルの搬送方向に互いに離して配置していたので、印字と記録の双方が完了するまで、ラベルに印字する情報と、ＩＣに記録する情報とを記録部から消去せずに保存し、印字および記録の制御を行う必要がある。その結果、印字および記録の制御が面倒になる。
【０００７】
したがって、本発明の目的は、印字および記録・読出の制御が容易な記録装置、読出装置およびラベルプリンタを提供することである。
【課題を解決するための手段】
【０００８】
前記目的を達成するために、本発明の記録／読出装置は、アンテナを介して非接触状態でリード／ライト可能なＩＣを有し、搬送されるＩＣタグ付ラベルの書込みおよび／または読出し行う記録／読出装置において、前記ＩＣに書込みおよび／または読出しを行う書込手段および／または読出手段を備え、前記ＩＣタグ付ラベルを挟むように、前記書込手段および／または読出手段のアンテナと、磁性体とを配置したことを特徴とする。
【０００９】
一方、本発明のラベルプリンタは、アンテナを介して非接触状態でリード／ライト可能なＩＣを有し、搬送されるＩＣタグ付ラベルの書込みおよび／または読出しと印字とを行うラベルプリンタにおいて、前記ＩＣタグ付ラベルの表面に可視情報を印字する印字ヘッドと、前記ＩＣの書込みおよび／または読出しを行う書込手段および／または読出手段とを備え、前記ＩＣタグ付ラベルを挟むように、前記書込手段および／または読出手段のアンテナと、磁性体とを配置したことを特徴とする。
【発明の効果】
【００１０】
これらの記録装置、読出装置およびラベルプリンタは、磁性体が磁路を形成し、アンテナからの磁束が磁性体を通り易くなるので、印字ヘッドなどの他の機器の表面において損失する電流損等が小さくなる。そのため、書込みおよび／または読出し可能な距離の範囲が拡がる。
また、ラベル自体に磁性体を塗布するのと異なり、装置に磁性体を設けるので、ラベルのコストアップを招くおそれもない。
【発明を実施するための最良の形態】
【００１１】
本発明の好ましいラベルプリンタの実施例においては、前記書込手段および／または読出手段のアンテナと前記印字ヘッドとは、前記ＩＣタグ付ラベルの搬送路を挟むように配置され、前記印字ヘッドの筐体における前記ＩＣタグ付ラベルに対面する部位が前記磁性体に覆われている。
これにより、印字ヘッドの金属製の筐体等の金属部分による悪影響を確実に防止し得る。
【００１２】
本発明のラベルプリンタにおいては、前記磁性体が、磁性シートからなり、該磁性シートが前記印字ヘッドに貼付されているのが好ましい。
これにより、市販の磁性シートを切り貼るだけの簡単な作業で本発明を実現できるから、装置コストが安価になる。
【実施例１】
【００１３】
以下、添付図面に従って本発明に係るラベルプリンタの好ましい一実施例について説明する。
ＩＣタグ付ラベル１４：
まず、本ラベルプリンタに用いるＩＣタグ付ラベルについて説明する。
図１（ａ）はラベル用紙１２の縦断面を示す概念図、（ｂ）はラベル用紙１２の印字面（表面）を示す正面図である。図１（ａ）に示すように、ラベル用紙１２は、帯状に形成された台紙（剥離紙）１６に、多数のＩＣタグ付ラベル１４、１４、…が所定の間隔で粘着されて構成されている。
【００１４】
ＩＣタグ付ラベル１４は、印字可能な用紙からなるラベル部１５とＩＣタグ２０とを備えている。ラベル部１５の裏面には粘着材１７が塗布されており、ＩＣタグ２０は、該粘着材１７によってラベル部１５に粘着されている。一方、ＩＣタグ２０の裏面にも粘着材１７が塗布されており、台紙１６を剥離することにより、前記ラベル部１５およびＩＣタグ２０が一体となったＩＣタグ付ラベル１４を商品等に貼付することが可能である。
図１（ｂ）に示すように、ラベル部１５の表面には、たとえば、商品名、加工日、加工時刻、種別、原産地およびバーコードなどが印字される。
【００１５】
図１（ｃ）は、ＩＣタグ付ラベル１４の裏面図である。図１（ｃ）に示すように、ＩＣタグ２０は、制御回路やメモリなどからなるＩＣチップ２２と、たとえばプリントされたコイルなどからなるアンテナ回路２４とを備えている。
ＩＣチップ２２のメモリには、たとえば、識別番号、加工日、加工時刻、種別および原産地など、前記ラベル部１５の印字内容と同一ないし同等な内容が書き込まれて記録（記憶）される。なお、ＩＣチップ２２のメモリには、予めシリアルな個別コードだけが書き込まれ、印字内容とは異なる情報のみが書き込まれている場合もある。この場合、個別コードに対応する種々の情報を上位のコンピュータ等が記憶していてもよい。また、ＩＣチップ２２には、製品コードや個別コードなど印字内容よりも多くの情報が記録されていてもよい。
なお、以下の説明では、ラベル部１５に印字される内容を「印字データ」と呼び、一方、ＩＣチップ２２のメモリに記録される内容を「書込データ」と呼ぶ。
【００１６】
プリンタ１０：
図２はプリンタ１０の要部の概略構造を示す断面図である。同図に示すように、プリンタ１０は、ＩＣタグリーダ・ライタ（ＩＣタグ読取／書込手段）２８および印字手段３０等から構成されている。
【００１７】
ラベル用紙１２は、印字手段３０のプラテンローラ３６を回転駆動することにより、図示しないラベルロールから繰り出され、リーダ・ライタ２８によってＩＣタグ２０に所定の書込データが書き込まれると共に、印字手段３０によってラベル部１５に所定の印字データが印字される。
【００１８】
印字手段３０：
前記印字手段３０は、互いに対向して配置されたプラテンローラ３６と印字ヘッド（サーマルヘッド）３８とによって構成される。このプラテンローラ３６とサーマルヘッド３８との間には、前記ラベル用紙１２が供給される。そして、サーマルヘッド３８の加熱部３９を発熱させることにより、ラベル部１５を感熱発色させて、ラベル部１５の表面に可視情報を印字する。なお、印字手段３０の印字方式は、感熱発色式に限定するものではなく、熱転写式やインクジェット式であってもよい。
【００１９】
前記印字ヘッド３８は、前記加熱部３９と共に、該加熱部３９の制御を行う印字制御部が実装された制御基板３３、および該制御基板３３を覆う板金製の筐体３４を備えている。
【００２０】
リーダ・ライタ２８：
前記リーダ・ライタ２８はアンテナ４０を備えている。リーダ・ライタ２８のアンテナ４０は、印字ヘッド３８の下方近傍に設けられており、したがって、アンテナ４０と印字ヘッド３８とは、ラベル用紙１２の搬送路を挟むように互いに対面する位置に配置されている。なお、リーダ・ライタ２８の制御部２８ａは、前記アンテナ４０から離れた位置に配置されていてもよい。
【００２１】
リーダ・ライタ２８は、リーダ・ライタ制御部を備えており、該リーダ・ライタ制御部は、前記アンテナ４０と、図１（ｃ）のＩＣタグ２０のアンテナ回路２４とを介してＩＣチップ２２と通信し、ＩＣチップ２２に情報を書き込んだり、ＩＣチップ２２から情報を読み取る。前記情報の書込みおよび／または読出しは、前記ＩＣタグ付ラベル１４の搬送中（移動中）に行ってもよいし、あるいは、前記ラベル１４の搬送を一時停止している間に行ってもよい。
【００２２】
前記印字制御部および前記リーダ・ライタ制御部は、図２のラベルプリンタ制御部２５に、図示しないインターフェイスを介して、それぞれ接続されている。
ラベルプリンタ制御部２５は、たとえば、マイクロコンピュータからなり、ＣＰＵ２６およびメモリ２７を備えている。メモリ２７には商品マスタが設けられている。商品マスタには、前記印字データや書込データなどを含む商品情報が予め記憶されている。なお、前記商品情報は、上位のコンピュータからその都度受信するようにしてもよい。
【００２３】
磁性シート３５：
印字ヘッド３８の下面、すなわち、ＩＣタグ付ラベル１４に対面する部位には、磁性シート（磁性体）３５が貼付されている。
図３は、印字ヘッド３８を裏面から見た斜視図である。
図３に示すように、印字ヘッド３８の筐体３４は、二点鎖線で示すＩＣタグ付ラベル１４に対面する部位が前記磁性シート３５によって覆われている。磁性シート３５の貼付範囲としては、その幅方向の長さが少なくともＩＣタグ２０のアンテナ回路２４の幅Ｗよりも大きく設定されるのが好ましい。一方、磁性シート３５の長手方向の貼付範囲は、前記筐体３４の長手方向（矢印で示すＩＣタグ付ラベル１４の搬送方向）を覆い、かつ、加熱部３９を覆わない長さＬに設定するのが好ましい。
【００２４】
磁性シート３５としては、たとえば、フェライトの微粉末を軟質樹脂シートに練り込んだものを採用でき、貼付するために粘着材の層を有するものが好ましい。磁性シート３５として採用できる市販品としては、たとえば、ＴＤＫ（登録商標）株式会社の磁性シートなどを用いることができる。
【００２５】
ＩＣタグ付ラベル１４の発行：
図２の前記ＣＰＵ２６は、メモリ２７から当該商品に対応する書込データおよび印字データを読み出し、これらのデータを各々、リーダ・ライタ２８および印字手段３０に送信し、リーダ・ライタ２８によって書込データが書き込まれると共に、印字手段３０によってラベル部１５に印字データが印字される。
【００２６】
ここで、前記磁性シート３５は印字ヘッド３８に貼付されているので、前記磁性シート３５がラベル用紙１２を介してリーダ・ライタ２８のアンテナ４０に対面しているから、磁性シート３５が磁路を形成し、アンテナ４０からの磁束が磁路を通り易くなる。したがって、ＩＣタグ２０への書き込みおよび読み取り可能な距離の範囲が拡がる。
特に、印字ヘッド３８の筐体３４など、金属部分による悪影響を確実に防止し得る。そのため、印字ヘッド３８とリーダ・ライタ２８とを互いに近づけて配置することができるから、印字と記録の双方をほぼ同時に行うことができる。したがって、印字および記録の制御が著しく容易になる。
また、磁性シート３５の装着は、市販の磁性シートを切り貼るだけの簡単な作業であるから、装置コストが安価になる。
【００２７】
ところで、たとえば、印字ヘッド３８の上流にリーダ・ライタ２８を搬送方向に離して配置すると、リーダ・ライタ２８で書き込みと読み取りを行った後に、印字ヘッド３８で印字を行うことになる。一方、処理すべき印字と記録のデータが全て処理されると、何ら印字も記録もなされていないラベル用紙１２がプラテンローラ３６まで送られることになる。そのため、ラベル用紙１２に無駄が生じる。
これに対し、本実施例のように印字ヘッド３８に対面する位置にリーダ・ライタ２８を配置すれば、かかるラベル用紙１２の無駄が生じない。
【００２８】
つぎに、本発明の効果を明瞭にするために試験例および比較例を示す。
試験例：印字ヘッド３８の筐体３４に磁性シート３５を貼付すると共に、前記印字ヘッド３８にリーダ・ライタ２８のアンテナ４０を対面して配置し、該リーダ・ライタ２８と筐体３４との距離を変化させて、読み取り可能な距離を測定した。
比較例：磁性シート３５に代えて樹脂シートを貼付した以外は試験例と同様に読み取り可能な距離を測定した。
前記比較例では、前記距離の範囲が６〜１０ｍｍと極めて狭い範囲であったのに対し、前記試験例では前記範囲が０〜３０ｍｍ程度に拡がった。
【００２９】
ところで、ラベル部１５に印字される産地名は、たとえば、「アメリカ産豚肉・小間切」など商品名内に入っていることが多く、その設定登録に時間がかかる。また、商品毎に同一産地名を使う事が多く、メモリ２７の記憶領域を多く必要とするという問題点がある。また、産地名は、商品名の前か後ろに付けて記憶させる事が多い。
一方、産地マスタを別途設けた場合でも、同一産地名を、全角文字や半角文字、枠囲み、下線付き、反転文字などで印字を行う場合、その種類を商品毎に登録する必要があった。
【００３０】
そこで、産地マスタがあり、商品毎に産地を設定できるラベルプリンタなどの器物において、商品マスタ内に産地の副情報として、商品毎に印字位置（商品の左／右／上／下）を設定できるようにする。たとえば、印字位置情報の設定例としては、以下の内容がある。
０：器物の設定通り（器物の設定モードの設定に従う）
１：商品名の右
２：商品名の左
３：商品名の下
４：商品名の上
【００３１】
また、商品マスタ内に産地の副情報として、商品毎に全角／半角の制御と文字飾りの制御（強調／反転／下線／枠囲み）を指定できるようにする。たとえば、全角／半角情報の設定例としては以下の内容がある。
０：全角（基本型）
１：半角（品名の文字数が多い時に指定）
【００３２】
さらに、たとえば、飾り情報の設定例としては以下の内容がある。
０：ノーマル
１：強調
２：反転
３：下線
４：枠囲み
【００３３】
上記の内容は、上流に本部のコンピュータが存在する場合には、当該本部のコンピュータでも設定できるように、本部のコンピュータから送信される電文内に当該内容を追加する。この時、本部から指定しない場合は、各内容に“０”が設定される仕組みにしておき、標準形で動作するようにする。
また、ＰＯＰやコメント等の他のマスタについても応用することができる。
【００３４】
このように、マスタを１種類登録するだけで、使用できる為、登録が簡単になる。また、１つのマスタで商品毎に色々な印字が可能となる。
さらに、産地名が１種類で済むため、メモリを節約することができる。
【００３５】
ところで、従来のラベルプリンタには、履歴モードが無く、少し前に処理した商品の呼出番号を簡単に呼び出す手段がなかった。そのため、パック数や、重量、金額等の集計を調べる場合、集計モードに入らないと見られない。
【００３６】
そこで、呼び出した品番の履歴モードを作成する。たとえば、通常画面において、「呼出No. 」の横に「データ」（履歴）タッチボタンを設ける。「データ」ボタンとしては、「当日」や、「前日」、「前々日」などがあり、当該「データ」ボタンの何れかにタッチすることにより、当該指定された日の履歴データが表示される。
【００３７】
たとえば、データ（履歴）のタッチパネルを押す時に展開する画面では、画面上の呼出No. をタッチすると、通常画面に戻り、その品番が呼び出される。呼出No. 順にソートされる。一方、「前日」や「前々日」がタッチされると、同じグループの前日や前々日のデータが呼び出される。なお、前日や前々日のデータが無い場合には、エラー表示がなされる。なお、「時間帯別」ボタンにタッチすると、時間帯別に作業した個数が表示される。  
【００３８】
その他の条件としては、集計のデータは、３日間経過するとクリアされる。前記クリアのタイミングとしては、電源立ち上げ時にクリア対象となるデータを削除してもよいし、カレンダーを変えて仕越作業する場合には、その日付で集計を取るようにしてもよい。
また、データ（履歴）機能のＯＮ・ＯＦＦ切換を設定可能にしてもよい。
さらに、ファンクションキーから集計モードに入ることを可能としてもよい。かかる場合には、通常画面で、全ての集計を見られるようにすることができる。
【００３９】
ここで、8dot/mm のサーマルヘッドと、12dot/mmのサーマルヘッドとが切換可能なラベルプリンタにおいて、8dot/mm のサーマルヘッドのドット密度を基準としたラベルフォーマットを、12dot/mmのサーマルヘッドで印字すると、ドット密度が異なるため、縮小された印字になってしまうという不具合が発生する。一方、12dot/mmのサーマルヘッドのドット密度を基準としたラベルフォーマットを8dot/mm のサーマルヘッドで印字すると、ラベルサイズよりもはみ出して印字されてしまう。
【００４０】
そこで、8dot/mm から12dot/mmへソフト的に変換する変換テーブルを設ける。前記変換テーブルは、8dot/mm で仕様したフォントサイズを12dot/mmで印字すると同等フォントサイズになるように予め設定されている。
以下に前記変換テーブルの一例を示す。
（8dot/mm ）      ：（12dot/mm）
フォント１６×１６：フォント２４×２４
フォント２２×２２：フォント３３×３３
フォント２４×２４：フォント３６×３６
フォント３２×３２：フォント４８×４８
ＪＡＮ細バー2dot  ：ＪＡＮ細バー4dot
【００４１】
設定モード等でサーマルヘッドのドット密度を設定すると、前記変換テーブルによって全てのフォーマットが指定したドット密度に対応するフォントに変換される。なお、この変換テーブルは、設定モードで任意に変更可能とし、ヘッド密度を切り替えると、一括で初期値が入るが、ユーザー側でラベル印字結果を見ながら変更や調整を行うことも可能である。
このように、変換テーブルを設けることにより、１種類のラベルフォーマットで複数種類のドット密度に対応することができる。
【００４２】
ところで、サーマル印字機能が付いているラベルプリンタや計量器等において、印字された文字等の縦横比は、文字の見やすさを重視して、１１：１の比率に固定されている。しかし、当該印字比率１１：１では、２次元コードであるＱＲコードの規格と合致していないため、読取不能なコードが印字されることになるため、印字することができない。また、ユーザーが希望する印字比率に対応する場合には、ソフトの変更を行わなければならず、ユーザー先で容易に変更することができない。
【００４３】
そこで、印字比率の切り替えを可能とするプログラムを搭載する。たとえば、かかる切り替え機能により、１１：１などの任意の印字比率と、１：１の印字比率とを切り替えて印字することができる。
なお、印字フォーマットにより、印字比率の切り替えを行うようにしてもよい。たとえば、印字フォーマットに印字比率の設定を予め記憶しておき、フォーマットの切り替えや、フォーマットにリンクされたラベルカセットの交換などで印字比率を任意に切り替えるようにしてもよい。さらに、２次元コードを印字するフォーマットのみ、印字比率１：１で印字するようにしてもよい。また、２次元コード以外は任意の印字比率で印字できるようにしてもよい。
前記印字比率の切り替えは、切換キー等で行うようにしてもよい。また、印字比率によって最適に印字（発色する）できる印字テーブルを備えていてもよい。
【００４４】
このように、印字したい文字や、２次元コード、印字フォーマット等に応じて、印字比率を変更することができる。また、印字比率を変更する毎に印字テーブルを選択することにより、印字比率に最適な印字を行うことができる。
【００４５】
従来のラベルプリンタは、ラベルを交換または装着するとき、事前にラベルサイズを確認し、ラベルフォーマットを設定する必要があった。設定されているフォーマットと装着されているラベルサイズが異なると、ラベルサイズエラーが発生し、ラベル発行ができなくなる。その時、ラベルサイズに合ったラベルフォーマットが容易に選択・変更が出来ないため、速やかにラベル発行を行うことができない。
【００４６】
そこで、以下の３つの機能をラベルプリンタに付加する。
ラベルサイズからフォーマットを検索し、設定する機能。
ラベルサイズエラー発生時、フォーマットを自動的に変更する機能。
ラベルサイズエラー発生時、フォーマットの登録を行う機能。
【００４７】
以下に、当該プリンタの運用方法について説明する。
１）空送りキーを数回押すことにより、ラベルセンサにおいてラベル長・ラベルギャップ幅を検出する。
２）その検出した結果と、現在、設定されているラベルフォーマットのラベル長・ラベルギャップとを比較する。
３）設定されているラベルフォーマットのラベル長・ラベルギャップが異なる場合、登録されているラベルフォーマットをマスター内から検索して、自動的にフォーマットを変更する。
４）ラベルサイズから検索したラベルフォーマットが複数存在する場合、選択画面を表示し、選択可能にする。また、フォーマットのレイアウト確認も行える。
５）検出したラベルサイズのフォーマットがマスターにない場合、その場でフォーマットの登録を行うことができる。
６）自動的にラベルサイズを検出する機能がない場合には、ラベルサイズエラー発生時、現在設定されているラベルフォーマットが表示され、ラベルサイズの変更・フォーマットの変更を行うことができる。
７）このラベルサイズからフォーマットを指定する機能は、エラー発生のときのみではなく、通常のラベルフォーマット設定でも行うことができる。
【００４８】
このようにすれば、事前にラベルサイズを確認することなく、ラベルフォーマット設定を容易に行うことができる。また、ラベルサイズエラー発生時に、容易にラベルフォーマット設定を行え、速やかに、ラベル発行を行うことができる。
【００４９】
ラベルプリンタにおいて、通常発行方向のラベルの搬送と、逆転方向へのラベルの搬送では、印字部（サーマルヘッドとプラテンローラでラベルを挟んでいる部分）の滑りが異なり、同寸法のラベルであっても搬送距離に差が生じる。特に、近年の生産性向上の為の高速化や、印字品質向上の為の高精度化、多種類のラベルの使用を実現する為の多様化などにより、上記の搬送距離の差は大きくなると共にラベルの種類により不定量になる。
【００５０】
そこで、ラベル印字発行使用方法により、下記設定（通常搬送方向のみと逆転発行時の補正）を選択可能とする。
・高速化：ラベル搬送スピード（印字スピード）毎の補正を行う。
・多様化：ラベル種類毎の補正を行う。たとえば、ラベルサイズ（天地）毎の補正や、バックフィード量による補正、材質（表面摩擦抵抗）毎の補正を行う。
なお、上記設定は事前に登録し、各項目の呼出により運用可能であるが、ラベルフォーマットやカセットNo. などに連動して設定しておけば補正の自動呼出が可能となる。
【００５１】
一般的なラベルプリンタで使用される消耗品であるラベルや、リボン、フィルム等の残量や寿命を確認する方法は、センサによるニアエンド検出やエンド検出方法を採用している。しかし、この方法では、精度良く残量を知ることができない。また、特開２００１−３５４３４３では、印字する際に、残枚数情報を書き換えているため、ユーザが消耗品を手でちぎったりするという事態が起きた場合、ラベルの残枚数が合わなくなったりするという欠点が存在した。
【００５２】
そこで、ラベルや、リボン、フィルム等の消耗品にＩＣタグを貼り付ける。ラベルであれば１００枚や１０枚といった単位毎に、リボンやフィルムであれば１００ｍや１０ｍといった単位ごとにＩＣタグを貼り付ける。
一方、ラベルプリンタ本体にＩＣタグのリーダを取り付ける。取り付け位置は、全タグを読み取れる位置とする。必要に応じてタグを読み取り、読み取ったタグの数により、残枚数を知ることができる。残枚数が設定値以下になれば、ニアエンドにする。
【００５３】
たとえば、ラベル１巻が１５００枚巻のラベルを１００枚単位で残量管理を行う場合について例示して説明する（なお、リボンやフィルムであっても同様である）。
１）ラベルにＩＣタグを予め貼り付けておく。１５００枚巻なのでタグは１５枚（残り１枚目、１０１枚目……１４０１枚目）。
２）ラベルプリンタ本体にＩＣタグのリーダを取り付ける。
３）ラベルプリンタ本体のリーダは、印字、空送毎、もしくはその他の必要に応じて、ラベルに貼り付けられているタグを読み取る。たとえば、読み取ったタグの数が１０枚であったとすると、ラベルの残枚数は、９０１枚〜１０００枚の間にある。なお、ラベル残枚数によってニアエンド信号を出力することも可能である。
最後の１枚のタグが読み取り可能エリアから外れた時点で、残枚数を計算し（残枚数＝ヘッドまでの距離÷ラベル長）その枚数を印字した時点でラベルエンドの出力も可能になる。
【００５４】
これにより、ラベル等の消耗品をユーザが途中で切った時にも、残枚数の管理ができる。また、タグを貼り付ける枚数を増やせば、より正確な残枚数管理を行うことができる。さらに、最後の１枚にＩＣタグを貼り付けることにより、ラベルエンドも確実に検出することができる。
【００５５】
なお、前述の実施例１では、磁性体として磁性シートを用いたが、磁性シートに限らず磁性体であれば良く、たとえば、軟磁性材料や強磁性材料などのペースト状物を印字ヘッドに塗布してもよい。
ここで、「軟磁性材料」とは、強磁性材料のうちで、透磁率μが高く、保磁力の低いものをいい、高透磁率材料ともいう。
かかる「軟磁性材料」としては、前記フェライトの他に、たとえば、鉄を主体とするものや、一般にパーマロイと呼ばれる鉄とニッケルとの合金磁性材料などを用いることができる。鉄を主体とするものてとしては、純鉄やケイ素鋼板などを用いることができる。
【００５６】
以上のとおり、図面を参照しながら好適な実施形態を説明したが、当業者であれば、本明細書を見て、自明な範囲で種々の変更および修正を容易に想定するであろう。
たとえば、前述の実施例では、ラベルプリンタを例示して説明したが、本発明の適用可能な装置は、ＩＣタグの情報を読出す読出装置や、ＩＣタグに情報を書き込む記録装置や、書込みおよび読出しの双方を行う記録読出装置であってもよい。また、前記ラベルプリンタは、ＩＣタグへの書込みまたはＩＣタグからの読出しのうち、少なくとも一方を行う手段を備えていてもよい。
したがって、そのような変更および修正は、請求の範囲から定まる本発明の範囲内のものと解釈される。
【産業上の利用可能性】
【００５７】
本発明は、ＩＣタグ付ラベルに書き込みまたは読出しを行う記録／読出装置に適用することができる。
【図面の簡単な説明】
【００５８】
【図１】（ａ），（ｂ）は本発明のラベルプリンタに用いるラベル用紙の概略縦断面図および正面図、（ｃ）はＩＣタグ付ラベルの裏面図である。
【図２】ラベルプリンタの要部を示す概略構成図である。
【図３】印字ヘッドを裏面から見た斜視図である。
【符号の説明】
【００５９】
１０：ラベルプリンタ（記録装置、読出装置）
１４：ＩＣタグ付ラベル
２０：ＩＣタグ
２２：ＩＣチップ
２４：アンテナ回路
２８：リーダ・ライタ（書込手段および読出手段）
３４：筐体
３５：磁性シート（磁性体）
３８：印字ヘッド
４０：アンテナ（書込手段および読出手段のアンテナ）
【図１】
2006079514.tif 000003
【図２】
2006079514.tif 000004
【図３】
2006079514.tif 000005